(57)【要約】      （修正有）【課題】乱暴に扱ったり繰り返し使用したりした場合でもばねが外れることが無いランドセル用の錠前を提供する。【解決手段】ベース３と、ベースに回動自在に軸支された操作つまみ８と、ランドセルの被せ蓋に取り付けられる掛止板２と、操作つまみとともに回動する回動板１２と、回動板を回動したときに回動板を反回動方向へ付勢するトーションバネ１５と、ベースの面に直交する方向に移動自在でベースから先端部分が突出可能に設けられたロックピン１７と、ロックピンをベース側に付勢するばね部材２１と、回動板及びロックピンをベース内に固定するカバー２５を具備し、回動板はトーションバネにねじり方向への圧力を加える押圧部とロックピンの移動を規制する係止片を具備し、ベースはトーションバネのアーム両端部分がそれぞれ当接するとともに上端がカバーに連結されたストッパ部を具備した。【選択図】図１
2017080029.tif 000002
【特許請求の範囲】
【請求項１】
ランドセル本体に被せ蓋を固定するためのランドセル用錠前であって、
ランドセル本体の底部分の表面に取り付けられるベース（３）と、
つまみ本体（９）と該つまみ本体（９）に連設された軸（１０）を具備し、前記軸（１０）で前記ベース（３）を貫通しつつ回動自在に前記ベース（３）に軸支された操作つまみ（８）と、
ランドセルの被せ蓋に取り付けられる、前記つまみ本体（９）が挿通可能な貫通孔（２０１）が形成された掛止板（２）と、
前記操作つまみ（８）の軸（１０）に固定されて前記操作つまみ（８）とともに回動する回動板（１２）と、
該回動板（１２）を回動したときに回動板（１２）を反回動方向へ付勢するためのトーションバネ（１５）と、
前記ベース（３）の面に対して直交する方向に移動自在で、かつ、ベース（３）から先端部分が突出可能に設けられた、前記回動板（１２）の回動を規制するとともに、前記回動板（１２）により移動が規制されるロックピン（１７）と、
該ロックピン（１７）を前記ベース（３）側に付勢するばね部材（２１）と、
前記回動板（１２）及びロックピン（１７）を前記ベース（３）内に固定するためのカバー（２５）と、を具備し、
前記回動板（１２）は、前記トーションバネ（１５）にねじり方向への圧力を加えるための押圧部（１４）と、前記ロックピン（１７）の移動を規制するための係止片（１６）と、を具備し、
前記ベース（３）は、前記トーションバネ（１５）のアーム（１５０１）の両端部分がそれぞれ当接して、前記押圧部（１４）による押圧で前記トーションバネ（１５）にねじり方向への圧力が加えられた際にトーションバネ（１５）に応力を発生させるためのストッパ部（２３）を具備するとともに、該ストッパ部（２３）の上端が前記カバー（２５）に連結され、
前記ロックピン（１７）は、前記係止片（１６）の端部に当接して前記回動板（１２）の回動を阻止するためのロック部（１８）と、該ロック部（１８）の上方に連設された、ロック部（１８）よりも小径で先端部が前記ベース（３）を貫通して先端部分がベース（３）から突出可能な上方部（１９）と、前記ロック部（１８）の下方に連設された、ロック部（１８）よりも小径の下方部（２０）を具備し、先端部分が前記ベース（３）から突出した状態のときに、前記ロック部（１８）が前記係止片（１６）の端部（１６０１）に当接して前記回動板（１２）の回動を阻止し、先端部分が前記ベース（３）表面から退避した状態のときには、前記ロック部（１８）と前記係止片（１６）の端部（１６０１）との係止を解除して前記回動板（１２）を回動可能にするとともに、前記係止片（１６）によって上方部（１９）の先端部分がベース（３）から突出する方向への移動が阻止され、
前記操作つまみ（８）は、前記ロックピン（１７）の先端部分が前記ベース（３）から突出して前記回動板（１２）の回動が阻止された状態の時につまみ本体（９）が前記貫通孔（２０１）に挿通可能で、前記先端部が前記ベース（３）表面から退避して前記回動板（１２）の回動が可能になった状態の時に、つまみ本体（９）が前記貫通孔（２０１）に挿通不能な位置するように設定された、ことを特徴とするランドセル用錠前。
【請求項２】
前記押圧部（１４）は、湾曲した壁状であることを特徴とする請求項１に記載のランドセル用錠前。
【請求項３】
前記ストッパ部（２３）における前記トーションバネ（１５）のアームが当接する箇所に上方に向けて連結柱（２８）を連設するとともに、該連結柱（２８）の上端を前記カバー（２５）に連結することで、前記ストッパ部（２３）の上端を前記カバー（２５）に連結したことを特徴とする請求項１又は請求項２に記載のランドセル用錠前。
【請求項４】
前記ベース（３）における、前記掛止板（２）の貫通孔（２０１）を前記つまみ本体（９）が挿通したときに掛止板（２）に対向する個所に磁石（１１）を備えた、ことを特徴とする請求項１乃至請求項３のいずれかに記載のランドセル用錠前。
【請求項５】
前記ベース（３）は、ベース本体（４）と該ベース本体（４）内に固定されるインナーベース（５）とを具備しており、該インナーベース（５）に前記ストッパ部（２３）が備えられていることを特徴とする請求項１乃至請求項４のいずれかに記載のランドセル用錠前。
【発明の詳細な説明】
【技術分野】
【０００１】
本発明はランドセル用の錠前に係り、より詳しくは、長期間使用した場合でも故障の少ないランドセル用の錠前に関する。
【背景技術】
【０００２】
周知の通り一般的にランドセルでは、教科書等を収容する本体部の上方開口は被せ蓋で開閉自在に閉鎖されているが、この被せ蓋を固定する方法としては錠前を用いている。即ち、被せ蓋の先端には掛止板が取り付けられており、一方、ランドセル本体の底部分の表面には錠前が取り付けられている。そして、錠前には操作つまみが回動自在に備えられ、この操作つまみが挿通可能な貫通孔が掛止板に形成され、操作つまみで貫通孔を挿通して掛止板を操作つまみに掛止し、その状態で操作つまみを回動してつまみ本体が貫通孔を挿通することを不可能にすることで、掛止板を錠前に固定し、被せ蓋が開くことを防止可能としている。
【０００３】
ここで、掛止板を掛止するための錠前について説明すると、従来から提供されている錠前は一般的に、ランドセル表面の底部分に固定するベースを有しており、このベースには、操作つまみが回動自在に取り付けられている。即ち、操作つまみは、直方体状のつまみ本体と、このつまみ本体に連設された軸部を有しており、軸部でベースを貫通することで、操作つまみはベースに回動自在に軸支されている。
【０００４】
そして、前記ベース内には、操作つまみの回動を規制するための機構が備えられている。即ち、操作つまみの軸には回動板が固定され、この回動板にはトーションバネが取り付けられ、これにより操作つまみは、初期の状態から操作つまみを回動したときに、ばねの付勢力によって元の状態に戻ろうとする。
【０００５】
一方、ベース内には回動板の回動を規制するためのロックピンが備えられており、このロックピンは、ベース側へ移動自在で、先端部分がベースから突出可能としており、ばね部材によって、先端部分がベースから突出方向へ向けて付勢されている。
【０００６】
そしてロックピンは、先端部分がベースから突出している状態のときには回動板に係止して操作つまみの回動を阻止し、先端部分がベースから退避している状態の時には、回動板との係止が解除されて操作つまみの回動を可能にしている。
【０００７】
また、回動板は一般的に、つまみ本体が貫通孔を挿通不能な角度のときを初期状態にし、つまみ本体が貫通孔を挿通可能な角度になるように操作つまみを回動したときに、ばねによって元の位置に戻る方向へ付勢される設定にしている。
【０００８】
更に、つまみ本体が貫通孔を挿通可能な角度になるように操作つまみを回動したときに、ロックピンの先端部分がベースから突出して回動板の回動が阻止されるようにしている。
【０００９】
従ってこれにより、つまみ本体が貫通孔を挿通可能な角度になるように操作つまみを回動した後に掛止板を操作つまみから外した状態では、操作つまみを回動することが不可能になり、これにより、被せ蓋がランドセル本体に固定されていない状態での施錠を防止することができる。
【００１０】
一方、掛止板を操作つまみに掛止して、更に掛止板をベース側へ押して掛止板でロックピンの先端部分をベース側へ押し込むと、ロックピンと回動板との係止が解除されて回動板の回動が可能になるため、回動板はばねの付勢力によって、つまみ本体が貫通孔を挿通不能な初期状態に戻り、これにより、自動的に施錠することが可能となる。
【先行技術文献】
【特許文献】
【００１１】
【特許文献１】特開２０１３−１６５８８８号公報
【特許文献２】特開２０１０−２２９７２３号公報
【特許文献３】特開２００７−７１０１３号公報
【発明の概要】
【発明が解決しようとする課題】
【００１２】
このように、従来の錠前では、回動板にトーションバネを取り付け、このバネの付勢力によって自動的に回動板を初期状態に戻すこととしているが、従来の錠前においては、回動板を付勢するトーションバネのアーム部分を回動板に形成した爪部に係止するとともに、機構部材に第１及び第２の突子を形成してこの突子にアームの両端を当接している構成のために、操作つまみを乱暴に回したり、あるいは繰り返し使用したりしていると、回動板の爪部に係止しているトーションバネのアームが外れてしまうという問題点が指摘されていた。
【００１３】
そこで、本発明は、乱暴に扱ったり繰り返し使用したりした場合でもばねが外れることが無いランドセル用の錠前を提供することを課題としている。
【課題を解決するための手段】
【００１４】
本発明のランドセル用錠前は、
ランドセル本体の底部分の表面に取り付けられるベースと、
つまみ本体と該つまみ本体に連設された軸部を具備し、軸部でベースを貫通しつつ回動自在にベースに軸支された操作つまみと、
ランドセルの被せ蓋に取り付けられる、前記つまみ本体が挿通可能な貫通孔が形成された掛止板と、
操作つまみの軸部に固定されて操作つまみとともに回動する回動板と、
回動板を回動したときに回動板を反回動方向へ付勢するためのトーションバネと、
ベースの面に対して直交する方向に移動自在で、かつ、ベースから先端部分が突出可能に設けられた、前記回動板の回動を規制するとともに、回動板により移動が規制されるロックピンと、
ロックピンをベース側に付勢するばね部材と、
回動板及びロックピンをベース内に固定するためのカバーと、を具備し、
前記回動板は、前記トーションバネにねじり方向への圧力を加えるための押圧部と、前記ロックピンの移動を規制するための係止片と、を具備し、
前記ベースは、前記トーションバネのアームの両端部分がそれぞれ当接して、前記押圧部による押圧で前記トーションバネにねじり方向への圧力が加えられた際にトーションバネに応力を発生させるためのストッパ部を具備するとともに、ストッパ部の上端が前記カバーに連結され、
前記ロックピンは、前記係止片の端部に当接して前記回動板の回動を阻止するためのロック部と、該ロック部の上方に連設された、ロック部よりも小径で先端部分が前記ベースを貫通してベースから突出する上方部と、前記ロック部の下方に連設された、ロック部よりも小径の下方部を具備し、先端部分が前記ベースから突出した状態のときに、前記ロック部が前記係止片の端部に当接して前記回動板の回動を阻止し、先端部分が前記ベース表面から退避した状態のときに、前記ロック部と前記係止片の端部との係合を解除して前記回動板を回動可能にするとともに、前記係止片によって先端部分がベースから突出する方向への移動が阻止され、
前記操作つまみは、前記ロックピンの先端部分が前記ベースから突出して前記回動板の回動が阻止された状態の時につまみ本体が前記貫通孔に挿通可能で、前記先端部が前記ベース表面から退避して前記回動板の回動が可能になった状態の時に、つまみ本体が前記貫通孔に挿通不能な位置するように設定された、ことを特徴としている。
【発明の効果】
【００１５】
本発明のランドセル用錠前では、回動板に、回動板を回動したときにトーションバネにねじり方向への圧力を加える押圧部を具備し、ベースには、トーションバネの両端が当接して、押圧部による押圧でトーションバネにねじり方向への圧力が加えられた際にトーションバネに応力を発生させるためのストッパ部を具備しており、これにより、回動板を回動すると元の位置に回帰可能としているとともに、ストッパ部の上端はカバーに連結され、ストッパ部とカバーとの間は隙間が無い状態にされている。
【００１６】
そのため、回動板に備えた爪部にばねを係止するとともに、機構部材に第１及び第２の突子を形成してこの突子にアームの両端を当接していた従来の錠前と異なり、操作つまみを乱暴に回した場合や、繰り返し使用した場合でも、ばねが外れることが無いという効果を得ることができる。
【図面の簡単な説明】
【００１７】
【図１】本発明のランドセル用錠前の実施例の分解図である。
【図２】本発明のランドセル用錠前の実施例の正面図である。
【図３】本発明のランドセル用錠前の実施例における作用を説明するための図である。
【図４】本発明のランドセル用錠前の実施例における作用を説明するための図である。
【図５】本発明のランドセル用錠前の実施例における回動板を説明するための図である。
【図６】本発明のランドセル用錠前の実施例における回動板とロックピンとの関係を説明するための図である。
【図７】本発明のランドセル用錠前の実施例における掛止板を説明するための図である。
【発明を実施するための形態】
【００１８】
本発明のランドセル用錠前は、ランドセル本体の底部分の表面に取り付けられるベースを有しており、このベースには操作つまみが軸支されている。即ち、操作つまみは、つまみ本体と、このつまみ本体に連設された軸部を具備し、軸部でベースを貫通しつつ、回動自在にしてベースに軸支されている。一方、本発明のランドセル用錠前では、ランドセルの被せ蓋に取り付けられる掛止板を有しており、この掛止板には、つまみ本体が挿通可能な貫通孔が形成されている。
【００１９】
また、本発明のランドセル用錠前はベース内に回動板を有しており、この回動板は、操作つまみの軸部に固定されて操作つまみとともに回動し、回動したときは、トーションバネによって、反回動方向へ付勢されることとしている。
【００２０】
更に、本発明のランドセル用錠前では、回動板の回動を規制するためのロックピンを有しており、このロックピンは、ベースの面に対して直交する方向に移動自在とし、回動板の回動を規制するとともに、回動板により移動が規制されることとしており、ベース側へ移動したときにはベースから先端部分が突出可能とされ、ばね部材によって、ベース側に付勢されている。
【００２１】
更にまた、本発明のランドセル用錠前ではカバーを有しており、このカバーにより、回動板とロックピンがベース内に固定されている。
【００２２】
そして、回動板は、トーションバネにねじり方向への圧力を加えるための押圧部と、ロックピンの移動を規制するための係止片を具備している。
【００２３】
また、ベースは、トーションバネのアームの両端部分がそれぞれ当接して、押圧部による押圧でトーションバネにねじり方向への圧力が加えられた際に、トーションバネに応力を発生させるためのストッパ部を具備しており、このストッパ部は、上端がカバーに連結されており、これにより、ストッパ部とカバーとの間は隙間が無い状態にされている。
【００２４】
更に、ロックピンは、回動板に具備した係止片の端部に当接して回動板の回動を阻止するためのロック部を有しており、ロック部の上方には、ロック部よりも小径で先端部分がベースを貫通してベースから突出する上方部が連設され、ロック部の下方には、ロック部よりも小径の下方部が連設されている。
【００２５】
また、ロックピンは、先端部分がベースから突出した状態のときに、ロック部が係止片の端部に当接して回動板の回動を阻止し、先端部分がベース表面から退避した状態のときには、ロック部と係止片の端部との係止を解除して回動板を回動可能にするとともに、回動板の係止片によって、先端部分がベースから突出する方向への移動が阻止されることとしている。
【００２６】
また操作つまみは、ロックピンの先端部がベースから突出して回動板の回動が阻止された状態の時につまみ本体が貫通孔に挿通可能で、先端部がベース表面から退避して回動板の回動が可能になった状態の時に、つまみ本体が貫通孔に挿通不能な位置するように設定されている。
【００２７】
ここで、前記押圧部は、湾曲した壁状にするとよく、これにより、押圧部内にトーションバネを収容することができ、トーションバネの位置を固定することが可能となる。
【００２８】
また、ストッパ部におけるトーションバネのアームが当接する箇所に上方に向けて連結柱を連設するとともに、この連結柱の上端をカバーに連結することでストッパ部の上端をカバーに連結するとよい。
【００２９】
更に、ベースにおける、掛止板の貫通孔をつまみ本体が挿通したときに掛止板に対向する個所に磁石を備えるとよく、つまみ本体に掛止板を掛止した際に、磁力によって仮止めすることが可能である。
【００３０】
更にまた、ベースは、ベース本体とベース本体内に固定されるインナーベースで構成するとよく、これにより、ベース本体をアルミ等により構成した際に補強することが可能である。
【実施例１】
【００３１】
本発明のランドセル用錠前（以下単に「錠前」とう。）の実施例について図面を参照して説明すると、図１は本実施例の錠前の分解斜視図であり、図において１が本実施例の錠前である。また、図２は本実施例の錠前の正面図である。
【００３２】
そして、図において２は掛止板であり、この掛止板２は一般的なランドセルと同様に、ランドセルの被せ蓋の先端に取り付けられて使用され、金属製の板状であり、矩形状の貫通孔２０１が２個形成されている。ここで図７は、掛止板２を説明するための図であり、図において２９が被せ蓋の先端部分である。そして、本実施例における前記掛止板２は、一般的なランドセルと同様に、被せ蓋２９の先端部に取り付けた「Ｙベロ」と言われる連結用の生地３０に連結している。
【００３３】
次に、図１において３はベースである。即ち、本実施例の錠前ではベース３を有しており、このベース３は、ベース本体４と、このベース本体４内に備えられるインナーベース５とを具備し、インナーベース５における反ベース本体４側にはカバー２５が備えられている。そして、ベース３は、全体として横長形状としており、長手方向がランドセルの幅方向に向くようにして、ランドセルの表面側の底部分に取り付けられることとしており、両端部分には、ランドセルの肩ベルトの下端部分を取り付けるための第２貫通孔３０２が形成されている。
【００３４】
また、中央部分には矩形状の第１貫通孔３０１が形成されており、この第１貫通孔３０１は固定座６により閉鎖されている。そして、固定座６及びインナーベース５には軸支孔７が形成されており、この軸支孔７を介して、前記ベース３には操作つまみが回動自在に軸支されている。なお、本実施例において前記ベース本体はアルミ製としており、及びインナーベースは樹脂製としているが、ベース本体及びインナーベースのいずれも、必ずしも素材は限定されず、金属のほか、樹脂等いずれの素材を用いても良い。
【００３５】
ここで、前記固定座６は、前記貫通孔３０１を貫通してベースの表面側に突出し、両端に形成した段差部６０１によってベース本体４に係止され、段差部６０１の反ベース本体４側に突出したピン部材により前記インナーベース５に連結されている。但し固定座は、この構成に限定されるものではない。
【００３６】
次に、図において８は操作つまみである。即ち、本実施例の錠前１は操作つまみ８を有しており、この操作つまみ８に前記掛止板２を掛止することで、ランドセルの被せ蓋をランドセル本体に固定することとしている。
【００３７】
ここで前記操作つまみ８について説明すると、本実施例において前記操作つまみ８は、直方体形状としたつまみ本体９を有しており、このつまみ本体９は、長手方向を前記掛止板２の貫通孔２０１の長手方向と同じ方向にすることで貫通孔２０１を挿通可能とし、貫通孔２０１を挿通した後に回動することで、貫通孔２０１を挿通不能としている。
【００３８】
また、前記つまみ本体９には、つまみ本体９の表面に直交する方向に向けて軸１０が連設されており、この軸１０は、固定座６及びインナーベース５の軸支孔７を回動自在に貫通しており、これにより操作つまみ８は、前記ベース３を貫通しつつ、回動自在にして前記ベース３に軸支されている。
【００３９】
そしてこれにより、つまみ本体９の長手方向を前記掛止板２の貫通孔２０１の長手方向と同じ方向にした後に、掛止板２の貫通孔２０１をつまみ本体９で挿通させることで掛止板２を操作つまみ８に掛止し、その後に操作つまみ８を回動してつまみ本体９が貫通孔２０１を挿通不能にすることで、ランドセルの被せ蓋をランドセル本体に固定可能としている。
【００４０】
なお、図において１１は磁石である。即ち本実施例では、インナーベース５におけるベース本体側に磁石１１を具備し、これにより、掛止板２を操作つまみ本体９に掛止したときに、磁石の磁力によって掛止板２を操作つまみ８に仮止めすることを可能としている。従って操作つまみ８に掛止板２を掛止した後は、操作つまみ８を回動してつまみ本体９が貫通孔２０１を貫通不能にする前に、磁石１１の磁力によって、掛止板２が操作つまみ８から外れてしまうことを防止することができる。そのため、操作つまみ８に掛止板２を掛止したときに掛止板２における貫通孔２０１以外の部分に対向する箇所に磁石１１を具備している。
【００４１】
次に、図において１２は回動板であり、この回動板１２は、前記操作つまみ８に付勢力を与えるために用いられる。即ち、前記回動板１２は、嵌合孔１２０１を具備し、この嵌合孔１２０１に前記操作つまみ８の軸１０の先端部分近傍が回動不能に嵌め合わされ、これにより、操作つまみ８を回動すると回動板１２も回動することとしている。
【００４２】
ここで、図３及び４は、本実施例の錠前１のベース３内の構造を説明するための図で、インナーベース５の内部を、反ベース本体４側から見た概略図である。また図５は、回動板１２の反インナーベース５側を示した図である。そして、本実施例において前記回動板１２は、略円盤状とした平板の回動板本体１３を有しており、前記操作つまみ８の軸１０は、嵌合孔１２０１を貫通しつつ、先端部分は嵌合孔１２０１から突出し、この突出した部分にはトーションバネ１５が、軸１０がトーションバネ１５の孔を貫通する形態で取り付けられている。なお本実施例では、嵌合孔１２０１を矩形状に形成し、一方、操作つまみ８の軸１０における嵌合孔１２０１に嵌合する部分は嵌合孔１２０１に嵌合可能な角状に形成し、嵌合孔１２０１に操作つまみ８の軸１０の先端部分近傍を回動不能に嵌め合わしている。但し、嵌合孔１２０１に操作つまみ８の軸１０の先端部分近傍が回動不能に嵌め合わされてあれば、いずれの方法を採用しても良い。
【００４３】
次に、回動板本体１３には、所定長とした円弧状の押圧部１４が壁状に、反ベース方向へ突設され、この押圧部１４の外側には、回動板本体１３よりも大径の円弧状の係止片１６が連設されている。そして前記トーションバネ１５は、前記押圧部１４の内周側に配置され、トーションバネ１５のアーム１５０１はそれぞれ、押圧部１４の端部に当接しつつ回動板１２の外周側に延出されている。そしてこれにより、回動板１２を回動することで、トーションバネ１５のアーム１５０１のいずれかが、前記押圧部１４の端部のいずれかにより、ねじり方向へ押圧されることとしている。
【００４４】
そして、本実施例においては、つまみ本体９の長手方向が掛止板２の貫通孔２０１の長手方向と直交する方向になり、それによりつまみ本体９が貫通孔２０１を挿通不能になるように操作つまみ８を回動したときを、図３に示す初期状態とし、このときは、トーションバネ１５の両アーム１５０１がそれぞれ押圧部１４を押圧して、それにより回動板１２は左右両方向へ付勢されている。一方、つまみ本体９の長手方向が掛止板２の貫通孔２０１の長手方向と同じ方向になり、それによりつまみ本体９が貫通孔２０１を挿通可能になるように操作つまみ８を回動したときは、図４に示すように、トーションバネ１５のアーム１５０１のいずれかが、押圧部１４の端部により、ねじり方向へ押圧されることとしている。
【００４５】
そしてこのとき、本実施例では、トーションバネ１５を押圧部１４の内周側に配置しているため、トーションバネの位置を固定することが可能である。即ち、従来の錠前においてトーションバネは、操作つまみの軸がトーションバネの孔を貫通する形態で備えられていたのみであるとともに、一般的にトーションバネの孔の内径は操作つまみの軸の外径よりも大きいために、操作つまみの軸の外周とトーションバネの内周との間に隙間が形成されてしまい、トーションバネの位置が固定されず、それによりトーションバネが動いてしまう問題点があった。しかし本実施例の錠前では、トーションバネ１５を押圧部１４の内周側に配置しているため、トーションバネの位置を固定することが可能である。
【００４６】
次に、図１において１７はロックピンである。即ち本実施例の錠前では、前記回動板１２の回動を規制するロックピンを有しており、このロックピン１７は、前記ベース３の面に対して直交する方向に移動自在で、一端側が前記ベース３に形成したピン孔３０３に挿入されている。そして、コイルバネ２１によってベース３側に付勢され、それにより、ピン孔３０３に挿入されている一端側は、ピン孔３０３を貫通してベース３の表面から先端部分が突出している。また、先端部分がベース３の表面から突出している状態で先端部分をベース３側へ押圧することで、先端部分が突出状態からベース３側へ退避可能としている。そして、先端部分がベース３側へ退避している状態を、図３に示す初期状態としており、前述したようにこの状態のときは、回動板１２は、前記トーションバネ１５の両アーム１５０１によって左右両方向へ付勢されている。
【００４７】
ここで、前記ロックピン１７について説明すると、図３及び４においてロックピン１７は、外周部が前記係止片１６の端部１６０１に当接して回動板１２の回動を阻止するロック部１８を有しており、このロック部１８は、回動板１２の係止片１６と一部分が重なり合う配置となっている。また、ロック部１８のベース３側（上方側）には、ロック部１８よりも小径で先端部分が前記ピン孔３０３を貫通してベース３から突出する上方部１９が連設され、ロック部１８の反ベース３側（下方側）には、ロック部１８よりも小径の下方部２０が連設されている。
【００４８】
ここで、図６はロックピン１７と回動板１２の関係を示した断面図であり、図６において（ａ）はロックピン１７の先端部分がベース３の表面から退避している初期状態であり、この状態のときは、回動板１２の係止片１６とロック部１８が重なり合う配置となるとともに、回動板１２の係止片１６の下方側にロック部１８が位置しており、そのために、ロックピン１７は、回動板１２の係止片１６によってベース３側への移動が阻止されるとともに、コイルバネ２１によってベース３側へ付勢され、一方回動板１２は、回動自在となっている。
【００４９】
次に（ｂ）は、ロックピン１７の先端部分がベース３から突出しているときで、図４に示す状態である。即ち、（ａ）に示す初期状態において操作つまみ８を約９０度回動することで、回動板１２が約９０度回動し、それにより、ロック部１８の上方に位置していた係止片１６がロック部１８の上方から移動する。そうすると、ロックピン１７はコイルバネ２１の付勢力によってベース３側へ移動して、先端部分がベース３の表面から突出するとともに、ロック部１８が回動板１２とほぼ同じ高さになる。そしてそれにより、図４に示すように、回動板１２における係止片１６の端部１６０１がロック部１８に当接し、回動板１６の回動が阻止され、その状態では、ベース３の表面から突出している先端部分をベース３側へ押圧することで、突出している先端部分をベース３側へ退避させることが可能である。
【００５０】
次に、図３、４において２２は、前記回動板１２が収納される収納凹部である。即ち、前記インナーベース５における反ベース本体側には前記回動板１２が収納される収納凹部２２が形成されている。そして、収納凹部２２の外周側には、円弧状の壁状としたストッパ部２３が反ベース本体側に立設されており、本実施例において前記ストッパ部２３は、ベース３の長手方向に直交する側の一方に開口部を有する円弧状の壁状としている。
【００５１】
そして、このストッパ部２３の開口側端部には、前述のトーションバネ１５のアーム１５０１の両端部分がそれぞれ当接しており、これにより、操作つまみ９を回動することで回動板１２も回動し、トーションバネ１５のアーム１５０１の一方が押圧部１４によってねじり方向へ押圧されると、アーム１５０１の他方はストッパ部２３側に押し付けられ、アーム１５０１の一方には元の位置へ復元しようとする応力が発生し、その結果、回動板１２は反回動方向へ付勢される。即ち、図３に示す初期状態において操作つまみ９を約９０度回動すると、図４に示すように、トーションバネ１５のアーム１５０１の一方が押圧部１４によって回動方向へ押圧され、アーム１５０１の他方はストッパ部２３側に押し付けられ、それにより、アーム１５０１の一方には元の位置へ復元しようとする応力が発生する。
【００５２】
なお、図において、前記ロックピン１７を配置するために、前記ストッパ部２３における反開口側の中央部は切り欠いている。また、前記収納凹部２２内において前記ストッパ部２３の開口側の端部には、係止突起２４を内周側に向けて突設し、回動板１２の下端部分は直線状に切り欠いて係止突起２４との接触を回避している。そしてこれにより、操作つまみ９が回動されて反回動方向へ付勢されている状態において、更に操作つまみ９を回動した場合には、係止片１６の端部が係止突起２４に当接して回動板１２の回動が阻止される。
【００５３】
なお、本実施例においては前述したように、ロックピン１７の先端部分がベース３表面から退避して回動板１６の回動が許容されているときを、図３に示す初期状態とし、このときは、つまみ本体９は、長手方向が前記掛止板２の貫通孔２０１の長手方向と直交する方向にあり、貫通孔２０１に挿通不能としている。また、この初期状態においては、操作つまみ８を回動してつまみ本体９が貫通孔２０１を挿通可能にしない限り、ロック部１８の上方に係止片１６が位置するためにロックピン１７の先端部分はベース３の表面から退避したままである。
【００５４】
そして、操作つまみ８を回動し、つまみ本体９が掛止板２の貫通孔２０１を挿通可能とすると、回動板１２が回動することで、ロック部１８の上方に位置していた係止片１６がロック部１８の上方から移動し、それによりロックピン１７は、コイルバネ２１の付勢力によってベース３側へ移動して、先端部分がベース３の表面から突出する。そうすると、ロック部１８が回動板１２とほぼ同じ高さになり、回動板１２における係止片１６の端部１６０１がロック部１８に当接し、回動板１６の回動が阻止される。そしてこの状態では、トーションバネ１５のアームの一方が押圧部１４によってねじり方向へ押圧され、回動板１２が反回動方向へ付勢される。そのためこの状態のときに、ロックピン１７の先端部分がベース３側へ押されてベース表面から退避すると、前記回動板１６の回動が許容されるため、回動板１２がトーションバネ１５の付勢力によって初期状態まで回動することで操作つまみ８も回動し、つまみ本体９の長手方向が掛止板２の貫通孔２０１の長手方向と直交する方向になり、つまみ本体９は貫通孔２０１に挿通不能となる。また係止片１６の長さは、係止片１６がロック部１８の上方に位置している状態において、操作つまみ８を約９０度回動した際に、係止片１６がロック部１８の上方から移動し、ロックピン１７がコイルバネ２１の付勢力によってベース３側へ移動し、ロック部１８が回動板１２とほぼ同じ高さになり、回動板１２における係止片１６の端部１６０１がロック部１８に当接して回動板１６の回動を阻止可能な長さとしている。
【００５５】
次に、図において２５は、インナーベース５内に前記回動板１２、ロックピン１７を固定するためのカバーである。即ち、本実施例においては、前記インナーベース５における前記ストッパ部２３の両側に壁部２６を立設し、この一対の壁部２６間にカバー２５を配置している。そして、前記操作つまみ８の軸１０の反ベース側端部、ロックピン１７の反ベース側端部をカバー２５に連結しており、これにより、前記操作つまみ８及びロックピン１７を前記ベース３内に固定している。なお、図において２７は前記操作つまみ８の軸１０の反つまみ本体９側をカバー２５に連結するためのワッシャーである。
【００５６】
次に、図３、４において２８は連結柱である。即ち本実施例では、前記ストッパ部２３におけるトーションバネ１５のアームが当接する箇所に、上方側に向けて連結柱２８を連設し、更に、この連結柱２８の上端を前記カバー２５に連結している。そしてこれにより、ストッパ部２３の上端を前記カバー２５に連結し、ストッパ部とカバーとの間は隙間が無い状態にしている。そのため本実施例の錠前では、乱暴に操作つまみを回した場合や繰り返し使用した場合でも、トーションバネが外れてしまうことを有効に防止可能である。即ち、従来の錠前では、回動板に形成した爪部にトーションバネのアーム部を係止するとともに、機構部材に第１及び第２の突子を形成してこの突子にトーションバネのアームの両端を当接しているが、このとき、機構部材に形成した第１及び第２の突子と機構カバーの間に隙間があったために、操作つまみを乱暴に回した場合や、繰り返し使用した場合に、トーションバネのアームが突子から外れて突子と機構カバーの間の隙間に入り込んでしまい、トーションバネが外れてしまう欠点があった。しかし本実施例の錠前では、ストッパ部２３におけるトーションバネ１５のアームが当接する箇所に上方側に向けて連結柱２８を連設するとともに、この連結柱２８の上端をカバー２５に連結して、ストッパ部とカバーとの間は隙間が無い状態にしているために、乱暴に操作つまみを回した場合でも、また繰り返し使用した場合でも、トーションバネが外れてしまうことを有効に防止できる。
【００５７】
なお、本実施例ではベース３をベース本体４とこのベース本体４内に備えたインナーベース５で構成したが、インナーベース４は必ずしも必要ではなく、これを備えない構成でも良い。また、ストッパ部２３は必ずしも壁状にする必要は無く、前述のトーションバネ１５のアーム１５０１の両端部分がそれぞれ当接するものであるとともに、ストッパ部２３の上端がカバー２５に連結されていればいずれでも良い。更に、本実施例では、前記連結柱２８の他に、複数個所に支柱３１を突設し、この支柱の上端を前記カバー２５に連結し、カバー２５をベース３の裏側に固定しているが、この支柱の突設箇所は特に限定されない、
【００５８】
次に、このように構成される本実施例の錠前の作用について説明すると、つまみ本体９が掛止板２の貫通孔２０１を挿通して掛止板２を操作つまみ８に掛止しているとともに、つまみ本体９の長手方向が掛止板２の貫通孔２０１の長手方向と直交する方向で、それによりつまみ本体９が貫通孔２０１を挿通不能で、掛止板２を操作つまみ８から外すことができない状態が初期状態であり、この状態が施錠状態である。そしてこの状態のときは、前記ロックピン１７の先端部分は前記ベース３の表面から退避し、回動板１２は回動自在で、トーションバネ１５の両アーム１５０１はいずれもストッパ部２３に当接して回動板１２は左右両方向へ均等に付勢され、ロックピン１７のロック部１８の上方に回動板１２の係止件１６が位置してロックピン１７のベース側への移動が阻止されている。この状態が図３及び図６（ａ）の状態である。
【００５９】
次に、施錠状態において、操作つまみ８を時計周りあるいは反時計周りに約９０度回動し、つまみ本体９の長手方向を掛止板２の貫通孔２０１の長手方向と同じにして、掛止板２を操作つまみ８から外すことを可能にすると、操作つまみ８とともに回動板１２が回動し、ロック部１８の上方に位置していた係止片１６がロック部１８の上方から移動し、ロックピン１７は、コイルバネ２１の付勢力によってベース３側へ移動して、先端部分が掛止板２を押し上げるようにしてベース３の表面から突出し、そしてそれにより、ロック部１８が回動板１２とほぼ同じ高さになり、回動板１２における係止片１６の端部１６０１がロック部１８に当接し、回動板１６の回動が阻止され、更に、トーションバネ１５のアームの一方が押圧部１４によってねじり方向へ押圧され、他方はストッパ部２３側に押し付けられることで、回動板１２が反回動方向へ付勢される。この状態が図４及び図６（ｂ）に示す開錠状態であり、つまみ本体９から掛止板２を外すことで、被せ蓋２９を開くことが可能となる。
【００６０】
そして、教科書等の出し入れが終わり再び施錠するときは、まず、つまみ本体９が貫通孔２０１を挿通するようにして掛止板２を操作つまみ８に掛止する。そうすると、掛止板２は磁石１１の磁力によってベース３に仮止めされる。
【００６１】
次に、掛止板２をベース３側に押して掛止板２でロックピン１７の先端をベース３側に押し込んでベース表面から退避させると、ロックピン１７のロック部１８が前記回動板１２の係止片１６よりも下方に後退し、係止片１６の端部との当接が解除され回動板１６が回動可能になる。一方回動板１２は、開錠した状態では反回動方向へ付勢されているため、ロックピン１７による回動の阻止が解除されると、トーションバネ１５による付勢力によって反回動方向へ回動し、それにより、操作つまみ９は自動的に、貫通孔２０１を挿通不能な初期状態に回動して施錠が完了する。
【００６２】
そしてこのとき、本実施例の錠前では、回動板１２を回動したときにトーションバネ１５にねじり方向への圧力を加える押圧部１４を回動板１２に具備し、ベース３には、トーションバネ１５のアーム１５０１のそれぞれが当接して、押圧部１４による押圧でトーションバネ１５にねじり方向への圧力が加えられた際にトーションバネ１５に応力を発生させるためのストッパ部２３を具備し、更に、ストッパ部２３の上端をカバー２５に連結してストッパ部とカバーとの間は隙間が無い状態にしているため、アーム部分を回動板に形成した爪部に係止するとともに、機構部材に第１及び第２の突子を形成してこの突子にアームの両端を当接している従来の錠前と異なり、乱暴に操作つまみを回した場合でも、また繰り返し使用した場合でも、回動板を付勢するためのトーションバネが外れてしまうことを有効に防止することが可能である。
【００６３】
また本実施例では、前記回動板本体１３を回動したときにトーションバネ１５のアーム１５０１をねじり方向へ押圧する押圧部１４を円弧状の壁状に形成し、この押圧部１４内にトーションバネ１５を配置しているため、トーションバネ１５の位置を固定することができ、それによっても、バネが外れてしまうことを有効に防止することが可能である。
【産業上の利用可能性】
【００６４】
本発明のランドセル用錠前は、ばねの付勢力を利用して操作つまみを自動で回動自在にした錠前において、ばねが外れてしまうことを防止しているため、自動で回動自在とした操作つまみを有する錠前の全般に適用可能である。
【符号の説明】
【００６５】
１    錠前
２    掛止板
２０１    貫通孔
３    ベース
３０１    第１貫通孔
３０２    第２貫通孔
３０３    ピン孔
４    ベース本体
５    インナーベース
６    固定座
６０１    段差部
７    軸支孔
８    操作つまみ
９    つまみ本体
１０    軸
１１    磁石
１２    回動板
１３    回動板本体
１４    押圧部
１５    トーションバネ
１５０１    アーム
１６    係止片
１７    ロックピン
１８    ロック部
１９    上方部
２０    下方部
２１    コイルバネ
２２    収納凹部
２３    ストッパ部
２４    係止突起
２５    カバー
２６    壁部
２７    ワッシャー
２８    連結柱
２９    被せ蓋
３０    Ｙベロ
３１    支柱
【図１】
2017080029.tif 000003
【図２】
2017080029.tif 000004
【図３】
2017080029.tif 000005
【図４】
2017080029.tif 000006
【図５】
2017080029.tif 000007
【図６】
2017080029.tif 000008
【図７】
2017080029.tif 000009